(57)【要約】【課題】  カップ状容器の外観を損なうことなく、開閉可能な蓋を一体的に有するカップ状紙製容器を提供する。【解決手段】  容器本体と、該容器本体の下端に巻き締め固定された底板部材とからなる紙製容器において、前記容器本体の上部折線に沿って第１の折畳片と、第２の折畳片と第３の折畳片が延設されており、該折線から容器内方へ向かって各折畳片を折り曲げてそれぞれ重ね合わせることにより前記容器本体の開口を閉塞する、概ね三角形状の蓋を形成することを特徴とする開閉可能な蓋一体型カップ状紙製容器【選択図】  図１
2005255232.tif 000002
【特許請求の範囲】
【請求項１】
容器本体と、該容器本体の下端に巻き締め固定された底板部材とからなる紙製容器において、前記容器本体の上部折線に沿って第１の折畳片と、第２の折畳片と第３の折畳片が延設されており、該折線から容器内方へ向かって各折畳片を折り曲げてそれぞれ重ね合わせることにより前記容器本体の開口を閉塞する、概ね三角形状の蓋を形成することを特徴とする開閉可能な蓋一体型カップ状紙製容器。
【請求項２】
前記各折畳片が略台形状をしており、容器本体の折線円周に沿って概ね等間隔で配置されていることを特徴とする請求項１に記載の開閉可能な蓋一体型カップ状紙製容器。
【請求項３】
前記折畳片のうちの一つの折畳片の上端に差込片が形成されており、かつ、他の一つの折畳片の適当な箇所にスリットが形成されており、前記差込片を前記スリットに差し込むことにより蓋を開閉可能にすることを特徴とする請求項１又は２に記載の開閉可能な蓋一体型カップ状紙製容器。
【請求項４】
前記折畳片のうちの一つの折畳片の上端から前記容器本体の折線に向かって延びるスリットが形成されており、他の一つの折畳片を前記スリットに差し込むことにより蓋を開閉可能にすることを特徴とする請求項１又は２に記載の開閉可能な蓋一体型カップ状紙製容器。
【請求項５】
前記折畳片のうちの何れか二つの折畳片の上端から前記容器本体の折線に向かって延びるスリットが形成されており、一方のスリットと他方のスリットとが交差するように前記二つの折畳片を重ね合わせることにより蓋を開閉可能にすることを特徴とする請求項１又は２に記載の開閉可能な蓋一体型カップ状紙製容器。
【請求項６】
前記折畳片のうちの一つの折畳片の上端寄り部分に、前記容器本体の折線と略平行になるように横方向に延びる部分切り込み線を穿設し、部分切り込み線の一方の端部に把持片を設け、該折畳片を最上部に配置させ、該折畳片の上端を、下部の別の折畳片の上面に接着させることを特徴とする請求項１〜５の何れかに記載の開閉可能な蓋一体型カップ状紙製容器。
【請求項７】
前記各折畳片が略三角形状をしており、容器本体の折線円周に沿って概ね等間隔で配置されていることを特徴とする請求項１に記載の開閉可能な蓋一体型カップ状紙製容器。
【請求項８】
前記折畳片のうちの一つの折畳片の適当な箇所にスリットが形成されており、他の一つの折畳片の尖端部を前記スリットに差し込むことにより蓋を開閉可能にすることを特徴とする請求項７に記載の開閉可能な蓋一体型カップ状紙製容器。
【請求項９】
前記折畳片のうちの一つの折畳片の上端寄り部分に、前記容器本体の折線と略平行になるように横方向に延びる部分切り込み線を穿設し、部分切り込み線の一方の端部に把持片を設け、該折畳片を最上部に配置させ、該折畳片の上端を、下部の別の折畳片の上面に接着させることを特徴とする請求項７又は８に記載の開閉可能な蓋一体型カップ状紙製容器。
【請求項１０】
前記折畳片のうちの二つの折畳片が略台形状をしており、残りの折畳片が略三角形状をしており、前記各折畳片が容器本体の折線円周に沿って概ね等間隔で配置されていることを特徴とする請求項１に記載の開閉可能な蓋一体型カップ状紙製容器。
【請求項１１】
前記台形状折畳片のうちの一つの折畳片の適当な箇所にスリットが形成されており、前記略三角形状折畳片の尖端部を前記スリットに差し込むことにより蓋を開閉可能にすることを特徴とする請求項１０に記載の開閉可能な蓋一体型カップ状紙製容器。
【発明の詳細な説明】
【技術分野】
【０００１】
本発明はカップ状紙製容器に関する。更に詳細には、本発明は開閉可能な蓋を一体的に有するカップ状紙製容器に関する。
【背景技術】
【０００２】
最近は、ハンバーガーなどのファーストフード店やコンビニエンスストアなどが多数開店され、これらの店頭で注文を受け次第に食品を紙製容器に収納して販売するスタイルが一般的になりつつある。
【０００３】
紙製容器に食品を収納して販売する場合、容器開口部が開放されたままの状態では、大気中の塵埃が容器内に混入したり、また内容物が容器外に零れたりすることがある。これを防止するため、容器開口部にプラスチック製の蓋を施蓋することが一般的に行われている。すなわち、ポリプロピレンなどのような熱可塑性合成樹脂シートを用いて真空成型などの公知慣用の方法により成形された皿状の薄い蓋を容器開口部に係合させるようにしている。従って、紙製容器の他にプラスチック製の蓋を使用すると、コスト高になる他、廃棄の際に分別収集の手間が生じる。更に、紙製容器本体と蓋体とを別々に管理するため、保管上でも大変な手間が必要であった。
【０００４】
このようなプラスチック製の蓋の使用に伴う欠点を解決するため、紙製容器本体の開口部に一体的に成形された蓋体を有する容器が開発された。例えば、特許文献１にはカップ状の紙製容器本体の上部に連続的な折畳片を設け、これらを折り曲げることにより四角形状の開閉可能な蓋を一体的に具備した簡易包装紙容器が記載されている。また、特許文献２には、カップ状の紙製容器本体の上部に４枚の独立折曲片を形成し、この折曲片の対向する２片を中心方向に折り曲げることにより四角形状の開閉可能な蓋を構成させるようにした簡易包装紙容器が記載されている。また、特許文献３及び４には、カップ状の紙製容器本体の上部に連続的な折畳片を設け、これらを折り曲げることにより多角形状の虹彩絞り式の開閉可能な蓋を構成させるようにした簡易包装紙容器が記載されている。
【０００５】
しかし、これらの容器では、蓋部分の折り畳みが複雑であり、蓋の開閉操作が面倒になるばかりか、蓋部分が分厚くなり過ぎたり、異常に隆起して、外観の審美性を損なうことがあった。また、四角形あるいは多角形状の折畳蓋を使用すると、容器本体も全体的に角形状を帯びカップ状容器の外観が失われる。
【０００６】
【特許文献１】実開平２−１０２１０号公報
【特許文献２】米国特許第５３５８１７５号明細書
【特許文献３】実開平１−１７６０２０号公報
【特許文献４】米国特許第４８５０５２８号明細書
【発明の開示】
【発明が解決しようとする課題】
【０００７】
従って、本発明の目的は、カップ状容器の外観を損なうことなく、開閉可能な蓋を一体的に有するカップ状紙製容器を提供することである。
【課題を解決するための手段】
【０００８】
前記課題を解決するための手段は、第１に、容器本体と、該容器本体の下端に巻き締め固定された底板部材とからなる紙製容器において、前記容器本体の上部折線に沿って第１の折畳片と、第２の折畳片と第３の折畳片が延設されており、該折線から容器内方へ向かって各折畳片を折り曲げてそれぞれ重ね合わせることにより前記容器本体の開口を閉塞する、概ね三角形状の蓋を形成することを特徴とする開閉可能な蓋一体型カップ状紙製容器である。
前記課題を解決するための手段は、第２に、前記各折畳片が略台形状をしており、容器本体の折線円周に沿って概ね等間隔で配置されていることを特徴とする前記第の開閉可能な蓋一体型カップ状紙製容器である。
前記課題を解決するための手段は、第３に、前記折畳片のうちの一つの折畳片の上端に差込片が形成されており、かつ、他の一つの折畳片の適当な箇所にスリットが形成されており、前記差込片を前記スリットに差し込むことにより蓋を開閉可能にすることを特徴とする前記第１又は第２の開閉可能な蓋一体型カップ状紙製容器である。
前記課題を解決するための手段は、第４に、前記折畳片のうちの一つの折畳片の上端から前記容器本体の折線に向かって延びるスリットが形成されており、他の一つの折畳片を前記スリットに差し込むことにより蓋を開閉可能にすることを特徴とする前記第１又は第２の開閉可能な蓋一体型カップ状紙製容器である。
前記課題を解決するための手段は、第５に、前記折畳片のうちの何れか二つの折畳片の上端から前記容器本体の折線に向かって延びるスリットが形成されており、一方のスリットと他方のスリットとが交差するように前記二つの折畳片を重ね合わせることにより蓋を開閉可能にすることを特徴とする前記第１又は第２の開閉可能な蓋一体型カップ状紙製容器である。
前記課題を解決するための手段は、第６に、前記折畳片のうちの一つの折畳片の上端寄り部分に、前記容器本体の折線と略平行になるように横方向に延びる部分切り込み線を穿設し、部分切り込み線の一方の端部に把持片を設け、該折畳片を最上部に配置させ、該折畳片の上端を、下部の別の折畳片の上面に接着させることを特徴とする前記第１〜第５の何れかの開閉可能な蓋一体型カップ状紙製容器である。
前記課題を解決するための手段は、第７に、前記各折畳片が略三角形状をしており、容器本体の折線円周に沿って概ね等間隔で配置されていることを特徴とする前記第１の開閉可能な蓋一体型カップ状紙製容器である。
前記課題を解決するための手段は、第８に、前記折畳片のうちの一つの折畳片の適当な箇所にスリットが形成されており、他の一つの折畳片の尖端部を前記スリットに差し込むことにより蓋を開閉可能にすることを特徴とする前記第７の開閉可能な蓋一体型カップ状紙製容器である。
前記課題を解決するための手段は、第９に、前記折畳片のうちの一つの折畳片の上端寄り部分に、前記容器本体の折線と略平行になるように横方向に延びる部分切り込み線を穿設し、部分切り込み線の一方の端部に把持片を設け、該折畳片を最上部に配置させ、該折畳片の上端を、下部の別の折畳片の上面に接着させることを特徴とする前記第７又は第８の開閉可能な蓋一体型カップ状紙製容器である。
前記課題を解決するための手段は、第１０に、前記折畳片のうちの二つの折畳片が略台形状をしており、残りの折畳片が略三角形状をしており、前記各折畳片が容器本体の折線円周に沿って概ね等間隔で配置されていることを特徴とする前記第１の開閉可能な蓋一体型カップ状紙製容器である。
前記課題を解決するための手段は、第１１、前記台形状折畳片のうちの一つの折畳片の適当な箇所にスリットが形成されており、前記略三角形状折畳片の尖端部を前記スリットに差し込むことにより蓋を開閉可能にすることを特徴とする前記第１０の開閉可能な蓋一体型カップ状紙製容器である。
【発明の効果】
【０００９】
本発明によれば、容器全体としては円筒形のカップ状容器でありながら、上部は略三角形状の開閉可能な蓋が容器本体と一体的に形成されているので、容器全体が斬新な外観を呈する。そのため、菓子類やその他の食品類ばかりでなく様々な商品、物品の包装容器として消費者の高い注目を集めることができる。
また、本発明の紙製容器の開閉可能な蓋は３枚の折畳片が重ね合わされて形成されているので、従来の４枚以上の折畳片を使用する従来の紙製容器に比べて、蓋を構成する折畳片の折り畳みが簡単であり、蓋の開閉操作が容易になるばかりか、蓋も全体的に薄く、蓋構成片が異常に隆起することもなく、外観の審美性が保たれる。
【発明を実施するための最良の形態】
【００１０】
図１は本発明による開閉可能な蓋を一体的に有するカップ状紙製容器１の一例の斜視図である。本発明の容器１は、基本的にカップ状の紙製容器本体３と、この容器本体３の上部折線５に沿って一体的に形成された第１の折畳片７と第２の折畳片９及び第３の折畳片１１からなる。紙製容器本体３は扇状のブランクを丸めることにより形成されるので、両端の貼り合わせ部としてサイドシーム１３を有する。３枚の折畳片７，９及び１１は容器本体３の上部折線５の円周に沿って概ね等間隔に配置されていることが好ましい。また、折畳片７，９及び１１の上部は直線状であることが好ましい。従って、折畳片７，９及び１１は概ね台形状の外観を有することが好ましい。台形の高さはこれら３枚の折畳片７，９及び１１を折り畳んで重ね合わせた時に、容器本体の開口部に隙間が生じないようにするのに必要十分な高さであればよい。第１の折畳片７の部分にサイドシーム１３が形成されるように容器本体３が形成されていることが好ましい。第２の折畳片９の上端部には差込片１５が形成され、第３の折畳片１１には前記差込片１５が差し込まれるスリット１７が形成されている。
【００１１】
図２は、図１に示された紙製容器１の３枚の折畳片を重ね合わせて開口部を閉塞した状態の斜視図である。図１に示された第１の折畳片７を折線５に沿って容器内方に向かって折り畳み、次いで、第３の折畳片１１を折線５に沿って容器内方に向かって、前記第１の折畳片７上に重ね合わせるように折り畳み、最後に、第２の折畳片９を折線５に沿って容器内方に向かって、前記第３の折畳片１１上に重ね合わせるように折り畳み、第２の折畳片９の差込片１５を下部の第３の折畳片１１のスリット１７に差し込む。これにより、概ね三角形状（例えば、正三角形状）をした開閉可能な蓋が形成され容器本体３の上部を閉塞することができる。容器本体３の上部を開放する場合、前記と逆の操作を行って各折畳片を起立させればよい。
【００１２】
図３は、図１に示された紙製容器１の容器本体３を形成するためのブランク２０の展開図である。ブランク２０の下端円弧ａと略同心円状の円弧状の折線５が形成されている。折線５は例えば、クリーズ加工などにより形成することができる。この折線５を介して概ね台形状の折畳片７，９，１１が形成されている。折畳片７はサイドシーム１３のために２つに分割されているが、ブランク２０を円筒状に巻いて組み立てると他の折畳片と同様な台形状になる。折畳片９の上端には差込片１５が形成されており、一方、折畳片１１の適当な箇所に、差込片１５を差し込むためのスリット１７が形成されている。
【００１３】
ブランク２０は常用の紙カップ成形機によりカップ状に組み立てることができる。例えば、ブランク２０を常用の紙カップ成形機のマンドレルに巻き付け、ブランク２０には熱可塑性合成樹脂フィルムが塗工されているので、ラミネートブランク２０の左右両側端部分を若干重ね合わせて加熱しながら押圧することによりサイドシーム１３を形成すると、上部が拡開した容器本体３が得られる。この容器本体３の下端に底板部材（図示されていない）を巻き締めて底部を形成する。この状態で複数個の容器を集積し、店頭又は工場に出荷し、そこで内容物を充填収納した後、３枚の折畳片を前記のように折り畳んで重ね合わせることにより封止容器が完成される。
【００１４】
開閉可能な蓋を構成するための各折畳片を係止する機構は図示された、差込片とスリットの組合せからなる態様に限定されない。例えば、図４に示すように、ブランク２０において、折畳片１１の上端から折線５に向かってスリット１７ａを切り込み、このスリット１７ａに折畳片９を差し込んでも図５に示されるような開閉可能な蓋を形成することもできる。
【００１５】
また、図６に示すように、ブランク２０において、折畳片１１の上端から折線５に向かってスリット１７ａを切り込み、折畳片１１の上端から折線５に向かってスリット１７ｂを切り込み、このスリット１７ａに折畳片９を差し込み、スリット１７ｂに折畳片１１を交差させて差し込むことにより、図７に示されるような概ね三角形状をした開閉可能な蓋を形成することもできる。図７の蓋は図６の蓋に比べて、折畳片９と折畳片１１が相互に押さえ合う形態になるので、蓋がしっかりと閉塞されるという効果がある。
【００１６】
図８は、本発明の紙製容器１において、内容物を充填した後に、容器を密閉し、購入者が内容物を取り出すときに容器１を開封可能に構成するためのブランク２０の一例の部分概要展開図である。このブランク２０では、例えば、第２の折畳片９の上端寄りに箇所に折線５と略平行になるように横方向に延びる部分切り込み線２２を穿設し、一方の端部には把持片２４を設ける。このブランク２０から容器本体３を形成し、最初に第３の折畳片１１を容器内方へ折り畳み、次いで、第１の折畳片７を容器内方へ折り畳み、第３の折畳片１１の差込片１５を第１の折畳片７のスリット１７に差し込み、最後に、第２の折畳片９の上端部を下部の第３の折畳片１１の上面に接着させる。これにより、図９に示されるように、紙製容器１は密閉される。容器１を開封する場合、最上部に存在する第２の折畳片９の把持片２４を摘み上げ、反対方向へ引っ張ると、部分切り込み線２２に沿って第２の折畳片９の上端寄り部分が切り裂かれ、第２の折畳片９の下部部分がフリーになる。再び容器１を閉じる場合、第２の折畳片９の残片を先ず容器内方へ折り曲げ、次いで、この第２の折畳片９の残片上に第１の折畳片７を折り重ね、最後に第３の折畳片１１を第１の折畳片７上に折り重ね、第３の折畳片１１の差込片１５を第１の折畳片７のスリット１７に差し込む。
【００１７】
以上、本発明の好ましい実施態様について説明してきたが、本発明の紙製容器１における容器本体３を構成するブランク２０の上端は台形状の折畳片に限定されない。例えば、図１０に示されるような概ね三角形状の折畳片７ａ，９ａ，１１ａを有するブランク２０も使用できる。このようなブランクの場合、例えば、第２の折畳片９ａの適当な箇所にスリット１７ｃを形成し、第３の折畳片１１ａの尖端を前記スリット１７ｃに差し込むことにより開閉可能な蓋を形成することができる。
また、各折畳片の形状及び大きさはそれぞれ同一であることもできるし、又はそれぞれ目的に応じて異なっていてもよい。例えば、図１１に示すように、台形状の折畳片と三角形状の折畳片を組み合わせて使用することもできる。全て台形状の折畳片を使用する場合には、台形のサイズがそれぞれ異なっていてもよく、同様に、全て三角形状の折畳片を使用する場合には、三角形の形（例えば、正三角形、二等辺三角形など）及びサイズがそれぞれ異なっていてもよい。
【００１８】
本発明の紙製容器１における容器本体３を構成するブランク２０の内面側には、例えば、水又は油などの浸透を防止するための熱可塑性合成樹脂フィルム（例えば、ポリエチレン，ポリスチレン，ナイロン，ポリプロピレン又はポリエチレンテレフタレートフィルムなど）がラミネートされていることが好ましい。熱可塑性合成樹脂フィルムの代わりに、アルミ箔をラミネートすることもできる。底板部材の容器内側も同様な熱可塑性合成樹脂フィルム又はアルミ箔がラミネートされていることが好ましい。言うまでもなく、ブランク２０の外面側には適当な文字、記号、模様などが印刷され、この印刷層上に前記と同様な熱可塑性合成樹脂フィルムをラミネートすることもできる。
【産業上の利用可能性】
【００１９】
本発明の紙製容器は食品類の包装用に限らず、衣料、日用品、洗剤、固形物など様々な品物を包装する目的にも使用できる。
【図面の簡単な説明】
【００２０】
【図１】本発明による開閉可能な蓋を一体的に有するカップ状紙製容器の一例の斜視図である。
【図２】図１に示された容器において蓋を閉じた状態の斜視図である。
【図３】図１に示された容器の本体部分を形成するためのブランクの一例の展開図である。
【図４】図１に示された容器の本体部分を形成するためのブランクの別の例の部分概要展開図である。
【図５】図４に示されたブランクから形成された容器の上面図である。
【図６】図１に示された容器の本体部分を形成するためのブランクの他の例の部分概要展開図である。
【図７】図６に示されたブランクから形成された容器の上面図である。
【図８】図１に示された容器の本体部分を形成するためのブランクの更に他の例の部分概要展開図である。
【図９】図８に示されたブランクから形成された容器の上面図である。
【図１０】図１に示された容器の本体部分を形成するためのブランクの更に別の例の部分概要展開図である。
【図１１】図１に示された容器の本体部分を形成するためのブランクの更に別の例の部分概要展開図である。
【符号の説明】
【００２１】
１  本発明の紙製容器
３  容器本体
５  折線
７，７ａ  第１の折畳片
９，９ａ  第２の折畳片
１１，１１ａ  第３の折畳片
１３  サイドシーム
１５  差込片
１７，１７ａ，１７ｂ  スリット
２０  ブランク
２２  部分切り込み線
２４  把持片
【図１】
2005255232.tif 000003
【図２】
2005255232.tif 000004
【図３】
2005255232.tif 000005
【図４】
2005255232.tif 000006
【図５】
2005255232.tif 000007
【図６】
2005255232.tif 000008
【図７】
2005255232.tif 000009
【図８】
2005255232.tif 000010
【図９】
2005255232.tif 000011
【図１０】
2005255232.tif 000012
【図１１】
2005255232.tif 000013